(57)【要約】【課題】門扉から侵入しようとする者に対し、外部環境の変化に対応した威嚇方法を選択し、省エネルギーと省力化を推進した効率的な運転を指向した警報装置を提供する。【解決手段】警報装置１は、門扉７の框キャップ装着部位８に取り付けられるもので、侵入者１２により引き起された門扉７の振動を検知する振動センサと、警報発報信号を受信して警報を発する一個または複数個の警報発報手段と、この振動センサが検知した振動に対応した警報発報信号を警報発報手段に送信する制御部と、太陽光により電力を発電する太陽電池部と、この太陽電池部で発電した電力を充電する充電手段とを内蔵しているので、外部電源接続のための配線作業は、勿論のこと、電池の交換作業も不要になり、電源供給面での省エネルギーと省資源化、及び、施工時とメンテナンス時の省力化が可能となる。【選択図】        図１
2004178030.tif 000002
【特許請求の範囲】
【請求項１】
門扉の振動を検知する振動センサと、警報発報信号を受信して警報を発する一個または複数個の警報発報手段と、前記振動センサが検知した振動に対応した警報発報信号を前記警報発報手段に送信する制御部と、太陽光により電力を発電する太陽電池部と、前記太陽電池部で発電した電力を充電する充電手段とを備え、前記門扉の框キャップ装着部位に取り付けられる警報装置であって、前記充電手段に充電した電力により運転できることを特徴とする警報装置。
【請求項２】
前記太陽電池部での発電の有無により、昼夜の区別を判定する昼夜判定手段を有し、該昼夜判定手段の判定結果に基づき、前記警報発報手段が、夜間のみ、または、昼間のみ、前記警報発報手段ごとに独立して、駆動可能となることを特徴とする請求項１記載の警報装置。
【請求項３】
前記警報発報手段として、警報光発報手段を有することを特徴とする請求項１または請求項２記載の警報装置。
【請求項４】
前記警報発報手段として、警報音発報手段を有することを特徴とする請求項１乃至請求項３のいずれかに記載の警報装置。
【発明の詳細な説明】
【０００１】
【発明の属する技術分野】
本発明は、門扉から侵入しようとする者に対し、音または光で警報を発し、威嚇することにより、住居及びその敷地内への侵入を心理的に阻止する警報装置に関するものである。
【０００２】
【従来の技術】
従来より、例えば、特開平１１−２９６７５５号公報において開示されるように、防護フェンス等を乗り越え、特定の空間内に入ってくる人体（侵入者等）、動物等を防護フェンス等にとりつけた振動センサ等で、検知し、これに基づき、光や音で警報を発して侵入しようとする侵入者、動物等を威嚇する警報装置は、知られている。
【０００３】
しかし、かかる警報装置においても、電池を内蔵し、相当程度の期間にわたって、自動運転し得る構成とすることは、可能ではあっても、自ら、外部のエネルギーを取り込み、発電して得た電力を電源として運転を行なうことは、予定していなかった。また、威嚇方法においても、昼夜の区別等の外部環境の変化を認識し、これに対応した最適の威嚇方法を警報装置自ら選択することはできなかった。
【０００４】
しかし、その一方で、かかる屋外設置型の警報装置においては、特に可能な限りの省エネルギーと省力化を推進し、より高度のメンテナンスフリーを実現する効率的な運転と、より効果的な威嚇方法の追求が必要とされていることも看過できない事実である。
【０００５】
【特許文献１】
特開平１１−２９６７５５号公報  （第２頁  ［特許請求の範囲］、第３頁  段落［０００９］〜第６頁  段落［００５６］）
【０００６】
【発明が解決しようとする課題】
本発明は、上記事由に鑑みてなされたもので、その目的とするところは、門扉から侵入しようとする者に対し、昼夜の区別等の外部環境の変化に対応したより効果的な威嚇方法を自動的に選択できる一方、電源供給面を含めた省エネルギーと省力化を推進し、より高度のメンテナンスフリーを実現する効率的な運転を指向した警報装置を提供することにある。
【０００７】
【課題を解決するための手段】
上記課題を解決するために、請求項１に係る警報装置の発明にあっては、門扉の振動を検知する振動センサと、警報発報信号を受信して警報を発する一個または複数個の警報発報手段と、前記振動センサが検知した振動に対応した警報発報信号を前記警報発報手段に送信する制御部と、太陽光により電力を発電する太陽電池部と、前記太陽電池部で発電した電力を充電する充電手段とを備え、前記門扉の框キャップ装着部位に取り付けられる警報装置であって、前記充電手段に充電した電力により運転できることを特徴とするものである。
【０００８】
請求項２に係る警報装置の発明にあっては、請求項１記載の警報装置において、前記太陽電池部での発電の有無により、昼夜の区別を判定する昼夜判定手段を有し、該昼夜判定手段の判定結果に基づき、前記警報発報手段が、夜間のみ、または、昼間のみ、前記警報発報手段ごとに独立して、駆動可能となることを特徴とするものである。
【０００９】
請求項３に係る警報装置の発明にあっては、請求項１または請求項２記載の警報装置において、前記警報発報手段として、警報光発報手段を有することを特徴とするものである。
【００１０】
請求項４に係る警報装置の発明にあっては、請求項１乃至請求項３のいずれかに記載の警報装置において、前記警報発報手段として、警報音発報手段を有することを特徴とするものである。
【００１１】
【発明の実施の形態】
以下、本発明の実施形態を図面に基づき説明する。ここで、図１は、本実施形態における警報装置の使用の概略を模式的に示す図である。図２は、本実施形態における警報装置の外観及び装着の概略を模式的に示す図である。図３は、本実施形態の警報装置１のブロック構成図を示すものである。即ち、本実施形態の警報装置１は、図１〜図３に示すように、門扉７の框キャップ装着部位８に取り付けられるもので、門扉７の振動を検知する振動センサ２と、警報発報信号を受信して警報を発する一個または複数個の警報発報手段３と、この振動センサ２が検知した振動に対応した警報発報信号を警報発報手段３に送信する制御部４と、太陽光により電力を発電する太陽電池部５と、この太陽電池部５で発電した電力を充電する充電手段６とを内蔵している。
【００１２】
この結果、本実施形態の警報装置１は、充電手段６に充電した電力により運転できることを特徴とするので、外部電源接続のための配線作業は、勿論のこと、電池の交換作業も不要になり、電源供給面での省エネルギーと省資源化、及び、施工時とメンテナンス時の省力化に寄与し得ることとなる。
【００１３】
さらに、図１において、警報装置１は、例えば、その下部が、いわゆる”フランス落とし”１１で固定されている框上端部の框キャップ装着部位（本来、框キャップ１６を装着する部位）８に装着すると、門扉７から侵入しようとする者１２があった場合のこの部位の振動が、特に大きいので、振動センサ２で検知し易く、好都合であるといえる。この場合の警報装置１の装着は、例えば、図２に示すように、警報装置１の穴部１３及び框キャップ装着部位８の穴部１４を介してビス１５で固定する方法等によりすることができる。図３に示した接続端子９は、更なる通報手段（遠隔通報用）１０を付加可能とするためのものである。例えば、かかる通報手段１０を付加することにより、室内等の遠隔地に警報の発報を通報することができることとなる。
【００１４】
また、本実施形態の警報装置１は、太陽電池部５での発電の有無により、昼夜の区別を判定する昼夜判定手段（図示せず）を制御部４内部に有し、この判定結果に基づき、警報発報手段３が、夜間のみ、または、昼間のみ、前記警報発報手段３ごとに独立して、駆動可能となるように構成されているので、門扉７から侵入しようとする者１２に対し、昼夜の区別等の変化に対応したより効果的な威嚇方法を選択できることとなる。さらに、記警報発報手段３として、警報光発報手段３ａを採用すれば、特に夜間において、効果的に、門扉７から侵入しようとする者１２に対する威嚇ができることとなる。一方、警報装置１において、警報発報手段３として、警報音発報手段３ｂを有するようにしても、門扉７から侵入しようとする者１２に対する威嚇が、効果的にできることとなる。
【００１５】
具体的には、本実施形態の警報装置１は、以下のように、動作する。すなわち、侵入者（侵入しようとする者）１２が門扉７から入ろうとすると、門扉７の框キャップ装着部位８に装着した警報装置１の振動センサ２が、門扉７の振動を検知し、この振動センサ２が検知した振動に対応した警報発報信号を制御部４が、警報発報手段３に送信し、この警報発報信号を受信した警報発報手段３が、警報を発することなる。
【００１６】
この場合の警報としては、警報光発報手段３ａによる警報光、警報音発報手段３ｂによる警報音等が可能で、これらにより、侵入者（侵入しようとする者）１２を威嚇し、住居及びその敷地内への侵入を心理的に阻止するというものである。このとき、例えば、遠隔通報用の通報手段１０（チャイム等）を付加することにより、例えば、室内等の遠隔地へも、警報の発報を通報することができることとなる。なお、本発明の警報装置は、上記の実施形態にのみ限定されるものではなく、種々変更を加え得ることは勿論である。
【００１７】
【発明の効果】
以上のように、請求項１に係る警報装置の発明にあっては、門扉の振動を検知する振動センサと、警報発報信号を受信して警報を発する一個または複数個の警報発報手段と、前記振動センサが検知した振動に対応した警報発報信号を前記警報発報手段に送信する制御部と、太陽光により電力を発電する太陽電池部と、前記太陽電池部で発電した電力を充電する充電手段とを備え、前記門扉の框キャップ装着部位に取り付けられる警報装置であって、前記充電手段に充電した電力により運転できることを特徴とするので、外部電源接続のための配線作業は、勿論のこと、電池の交換作業も不要になるという優れた効果を奏する。
【００１８】
請求項２に係る警報装置の発明にあっては、請求項１記載の警報装置において、前記太陽電池部での発電の有無により、昼夜の区別を判定する昼夜判定手段を有し、該昼夜判定手段の判定結果に基づき、前記警報発報手段が、夜間のみ、または、昼間のみ、前記警報発報手段ごとに独立して、駆動可能となることを特徴とするので、門扉から侵入しようとする者に対し、昼夜の区別等の変化に対応したより効果的な威嚇方法を選択できるという優れた効果を奏する。
【００１９】
請求項３に係る警報装置の発明にあっては、請求項１または請求項２記載の警報装置において、前記警報発報手段として、警報光発報手段を有することを特徴とするので、特に夜間において、効果的に、門扉から侵入しようとする者に対する威嚇ができるという優れた効果を奏する。
【００２０】
請求項４に係る警報装置の発明にあっては、請求項１乃至請求項３のいずれかに記載の警報装置において、前記警報発報手段として、警報音発報手段を有することを特徴とするので、門扉から侵入しようとする者に対する威嚇が、効果的にできるという優れた効果を奏する。
【図面の簡単な説明】
【図１】本実施形態における警報装置の使用の概略を模式的に示す図である。
【図２】本実施形態における警報装置の外観及び装着の概略を模式的に示す図である。
【図３】本実施形態の警報装置のブロック構成図である。
【符号の説明】
１      警報装置
２      振動センサ
３      警報発報手段
３ａ    警報光発報手段
３ｂ    警報音発報手段
４      制御部
５      太陽電池部
６      充電手段
７      門扉
８      框キャップ装着部位（門扉７）
９      接続端子（通報手段１０）
１０      通報手段［遠隔通報用］
１１      フランス落とし
１２      侵入者
１３      穴部（警報装置１）
１４      穴部（框キャップ装着部位８）
１５      ビス
１６      框キャップ（門扉７）
【図１】
2004178030.tif 000003
【図２】
2004178030.tif 000004
【図３】
2004178030.tif 000005